(57)【要約】【課題】モバイル電子機器の使用状態に依存することなく、モバイル電子機器を操作しながら効率的な発電が可能になるモバイル電子機器用ケースを提供する。【解決手段】モバイル電子機器用ケース２００Ａは、表示面２０３を有するモバイル電子機器２０４を収納し、モバイル電子機器に電力を供給することが可能なモバイル電子機器用ケースであって、モバイル電子機器の少なくとも一部と接触する第１の面２０９Ａおよび第１の面と反対側の第２の面２０９Ｂを有するホルダー部２０７と、表示面を覆う保護カバー２０２と、保護カバーに設けられ、電力を生成する太陽電池モジュール２０１であって、保護カバーが表示面を覆うとき、外部に露出される太陽電池モジュールと、太陽電池モジュールを外部に露出した状態を保持しつつ、第２の面側まで保護カバーを移動させることが可能な移動機構と、を備える。【選択図】図２
2016181883.tif 000002
【特許請求の範囲】
【請求項１】
表示面を有するモバイル電子機器を収納し、前記モバイル電子機器に電力を供給することが可能なモバイル電子機器用ケースであって、
前記モバイル電子機器の少なくとも一部と接触する第１の面および前記第１の面と反対側の第２の面を有するホルダー部と、
前記表示面を覆う保護カバーと、
前記保護カバーに設けられ、前記電力を生成する太陽電池モジュールであって、前記保護カバーが前記表示面を覆うとき、外部に露出される太陽電池モジュールと、
前記太陽電池モジュールを外部に露出した状態を保持しつつ、前記第２の面側まで前記保護カバーを移動させることが可能な移動機構と、
を備える、モバイル電子機器用ケース。
【請求項２】
前記ホルダー部と前記保護カバーとを電気的に接続する接続部であって、前記ホルダー部および前記保護カバーをそれぞれ揺動可能に支持する接続部をさらに備え、
前記ホルダー部は、互いに連結された少なくとも２つの支持部材と、前記少なくとも２つの支持部材の各支持部材の間にある少なくとも１つの折り線と、を含み、前記少なくとも２つの支持部材のうち１つの支持部材は、前記第１の面を有し、かつ、各々が揺動可能に接続された残りの支持部材を介して前記接続部に接続され、
前記第２の面側まで移動した前記保護カバーの前記太陽電池モジュールは、前記少なくとも２つの支持部材が互いに蛇腹状に折り重なった状態で外部に露出される、請求項１に記載のモバイル電子機器用ケース。
【請求項３】
前記少なくとも２つの支持部材は、前記第１の面を有する第１の支持部材と第２の支持部材とを含み、
前記少なくとも１つの折り線は、外部から見たとき、前記第１および第２の支持部材の間の第１の谷折り線であって、
外部から見たとき、前記第１の谷折り線が内側を向くように、前記第２の面側まで移動した前記保護カバーの前記太陽電池モジュールは、前記第２の支持部材が前記第１の支持部材に折り重なった状態で外部に露出される、請求項２に記載のモバイル電子機器用ケース。
【請求項４】
前記接続部は、外部から見たときに第２の谷折れ線を含んでいる、請求項２または３に記載のモバイル電子機器用ケース。
【請求項５】
前記移動機構は、
前記ホルダー部に固定され、前記保護カバーを支持する伸縮機構であって、前記保護カバーは、前記表示面を覆う保護位置と、前記ホルダー部から引き出された引き出し位置との間を前記表示面の一辺に略平行な方向にスライドする、伸縮機構と、
前記太陽電池モジュールを外部に露出した状態で、前記ホルダー部の一端にある回転軸の周りに、前記引き出し位置にある前記保護カバーを前記第２の面側まで回転させることが可能な回転機構と、
を備える、請求項１に記載のモバイル電子機器用ケース。
【発明の詳細な説明】
【技術分野】
【０００１】
本発明は、モバイル電子機器用ケースに関し、特に太陽電池モジュールを備えたモバイル電子機器用ケースに関する。なお、本明細書において、モバイル電子機器は、例えば携帯電話、スマートフォン、タブレットＰＣ、電卓、携帯ゲーム機、音楽プレイヤ、電子書籍端末、電子辞書、電子ノート等を含む。
【背景技術】
【０００２】
モバイル電子機器が普及するにつれて、モバイル電子機器用の様々なケースやカバーが開発されている。モバイル電子機器用ケース（またはカバー）は、例えば、モバイル電子機器を衝撃から保護することやモバイル電子機器の表示部および／または本体に傷がつくことを防ぐことを目的としている。最近では、モバイル電子機器を衝撃や傷から保護するだけでなく、他の機能（例えば、モバイル電子機器を充電する機能）も備え、デザイン性の優れたケースまたはカバーも市販されている。
【０００３】
特許文献１は、電子機器を外側から覆うトレイと、このトレイの裏面に外部に露出されるように取り付けられた色素増感太陽電池モジュールと、二次電池とを備える電子機器用カバーを開示している。そのカバーによると、電子機器を落下や衝撃から保護し、かつ、電子機器を覆った状態で、色素増感太陽電池モジュールによる発電が可能になる。
【０００４】
特許文献２および３は、いわゆるブックカバー型（ノートブック型や手帳型と呼ばれることもある。）の携帯型情報端末用ケースを開示している。このケースによれば、携帯型情報端末を保護することができ、端末操作の利便性が向上する。
【０００５】
また、太陽電池モジュールを有するブックカバー型の電子書籍端末用ケースが知られている。図１にそのケース１００の外観を模式的に示している。この電子書籍端末用ケース１００は、ブックカバーの表紙にあたる部分１０３に太陽電池モジュール１０１を有する。電子書籍端末１０２はブックカバー型のケースの内側に装着され、太陽電池モジュール１０１によって充電される。電子書籍端末１０２を使用する時はブックカバー型のケースを開けて電子書籍端末１０２の表示面１０５を露出し、電子書籍端末１０２を使用しない時は、ブックカバー型のケースを閉じ、ブックカバーの表紙にあたる部分１０３で表示面１０５を覆うことで表示面１０５を保護する。
【先行技術文献】
【特許文献】
【０００６】
【特許文献１】特開２０１３−６５４２６号公報
【特許文献２】特開２０１４−１５５５３５号公報
【特許文献３】意匠登録第１４７８４５８号公報
【発明の概要】
【発明が解決しようとする課題】
【０００７】
しかしながら、特許文献１の電子機器用カバーによると、そのカバーの表示面（または操作面）側は開口しているので、カバーの表面の強度を上げてその表示面を保護することはできない。また、使用されていない電子機器を収納した電子機器用カバーは、その表示面を表にして、例えば机などに置かれることが通常である。その場合、太陽電池モジュールは電子機器用カバーの裏面側に位置するので、光はほぼ受光面に当たらなくなる。その結果、発電量が著しく低下するか、または発電そのものを行うことができなくなる。
【０００８】
また、図１に示すような太陽電池モジュール１０１を備えたブックカバー型のケース１００は、ブックカバーの表紙にあたる部分１０３に太陽電池モジュール１０１が設けられている。そのため、電子書籍端末１０２を使用しない時は、ブックカバー型のケースを閉じて表示面１０５を保護した状態で机などに置いておくことで、太陽電池モジュール１０１は外光（主に直射光）など受けて発電することができる。ここで、電子書籍端末１０２を使用しながら発電する場合を想定する。電子書籍端末１０２を使用時には、ブックカバー型のケースは開いた状態である（図１の中央の図を参照）。その状態では、太陽電池モジュールの受光面はケースの内側を向き、十分な光量を得ることはできない。ブックカバー型のケースの表紙がケースの裏面側までさらに回り込むと、太陽電池モジュールの受光面は電子書籍端末１０２を支持する面の裏面１０４に対向する（図１の右側の図を参照）。その状況下では、外光はほぼ受光面に当たらないので発電量は著しく低下してしまう。
【０００９】
本発明の目的は、モバイル電子機器用ケースに収納されたモバイル電子機器の使用状態に依存することなく効率的に発電を行うことである。
【課題を解決するための手段】
【００１０】
本発明の実施形態によるモバイル電子機器用ケースは、表示面を有するモバイル電子機器を収納し、前記モバイル電子機器に電力を供給することが可能なモバイル電子機器用ケースであって、前記モバイル電子機器の少なくとも一部と接触する第１の面および前記第１の面と反対側の第２の面を有するホルダー部と、前記表示面を覆う保護カバーと、前記保護カバーに設けられ、前記電力を生成する太陽電池モジュールであって、前記保護カバーが前記表示面を覆うとき、外部に露出される太陽電池モジュールと、前記太陽電池モジュールを外部に露出した状態を保持しつつ、前記第２の面側まで前記保護カバーを移動させることが可能な移動機構と、を備える。第２の面側までの移動とは、第２の面と太陽電池モジュールの受光面とがなす角度が略０°から１２０°になる位置まで保護カバーを移動させることを意味し、その角度は、ケースの保持のし易さの観点から、略０°から６０°であることが好ましい。
【００１１】
ある実施形態において、前記モバイル電子機器用ケースは、前記ホルダー部と前記保護カバーとを電気的に接続する接続部であって、前記ホルダー部および前記保護カバーをそれぞれ揺動可能に支持する接続部をさらに備え、前記ホルダー部は、互いに連結された少なくとも２つの支持部材と、前記少なくとも２つの支持部材の各支持部材の間にある少なくとも１つの折り線と、を含み、前記少なくとも２つの支持部材のうち１つの支持部材は、前記第１の面を有し、かつ、各々が揺動可能に接続された残りの支持部材を介して前記接続部に接続され、前記第２の面側まで移動した前記保護カバーの前記太陽電池モジュールは、前記少なくとも２つの支持部材が互いに蛇腹状に折り重なった状態で外部に露出される。
【００１２】
ある実施形態において、前記少なくとも２つの支持部材は、前記第１の面を有する第１の支持部材と第２の支持部材とを含み、前記少なくとも１つの折り線は、外部から見たとき、前記第１および第２の支持部材の間の第１の谷折り線であって、外部から見たとき、前記第１の谷折り線が内側を向くように、前記第２の面側まで移動した前記保護カバーの前記太陽電池モジュールは、前記第２の支持部材が前記第１の支持部材に折り重なった状態で外部に露出される。
【００１３】
ある実施形態において、前記接続部は、外部から見たときに第２の谷折れ線を含んでいる。
【００１４】
ある実施形態において、前記移動機構は、前記ホルダー部に固定され、前記保護カバーを支持する伸縮機構であって、前記保護カバーは、前記表示面を覆う保護位置と、前記ホルダー部から引き出された引き出し位置との間を前記表示面の一辺に略平行な方向にスライドする、伸縮機構と、前記太陽電池モジュールを外部に露出した状態で、前記ホルダー部の一端にある回転軸の周りに、前記引き出し位置にある前記保護カバーを前記第２の面側まで回転させることが可能な回転機構と、を備える。
【００１５】
ある実施形態において、前記移動機構は、前記保護カバーの一端と前記ホルダー部の一端とを接続する回転端子であって、前記保護カバーを前記第２の面側まで回転させることが可能な回転端子を含み、前記保護カバーは、前記表示面を覆う保護状態と、前記ホルダー部と略一直線上に並んで表示面を覆わない開放状態との間を遷移することができ、前記回転端子は、前記略一直線の方向に略平行な軸の周りに、前記開放状態にある前記保護カバーを前記ホルダー部に対して略１８０°回転させることができるように、前記保護カバーを回転自在に支持する。
【００１６】
ある実施形態において、前記保護カバーを前記第２の面側まで回転させる回転軸の嵌め合いは締り嵌めである。
【００１７】
ある実施形態において、前記モバイル電子機器用ケースは、前記太陽電池モジュールの最適動作点を追従する制御回路を有し、前記太陽電池モジュールからの電力を負荷に供給する給電ユニットをさらに備える。
【００１８】
ある実施形態において、前記モバイル電子機器用ケースは、前記太陽電池モジュールからの電力を蓄積し、前記給電ユニットに接続された蓄電池をさらに備える。
【００１９】
ある実施形態において、前記太陽電池モジュールは、色素増感太陽電池モジュールまたは蛍光集光板を用いた太陽電池モジュールである。
【発明の効果】
【００２０】
本発明の一実施形態によれば、モバイル電子機器の使用状態に依存することなく、モバイル電子機器を操作しながら効率的な発電が可能になるモバイル電子機器用ケースが提供される。
【図面の簡単な説明】
【００２１】
【図１】従来の電子書籍用ケースを模式的に示す外観図である。
【図２】第１の実施形態によるモバイル電子機器用ケース２００Ａを模式的に示す外観図である。
【図３】第１の実施形態によるホルダー部２０７を４つの支持部材に分割したときの移動機構の様子を示す模式図である。
【図４】第１の実施形態の変形例によるモバイル電子機器用ケース２００Ａ’を模式的に示す外観図である。
【図５】第１の実施形態の変形例による、縦置きされたモバイル電子機器用ケース２００Ａ’を模式的に示す外観図である。
【図６】第２の実施形態によるモバイル電子機器用ケース２００Ｂを模式的に示す外観図である。
【図７】第２の実施形態による保護カバー２０２の開閉の様子を模式的に示す平面図である。
【図８】特許文献３に開示された携帯端末用ケースを折り畳んだ状態の様子を示す模式図である。
【図９】第３の実施形態によるモバイル電子機器用ケース２００Ｃを模式的に示す外観図である。
【図１０Ａ】第３の実施形態による伸縮機構２２０の構造を示す模式図である。
【図１０Ｂ】第３の実施形態によるモバイル電子機器用ケース２００Ｃを模式的に示す側面図である。
【図１０Ｃ】第３の実施形態によるモバイル電子機器用ケース２００Ｃの回転軸２１０近辺を拡大して示す拡大図である。
【図１１】第３の実施形態によるモバイル電子機器用ケース２００Ｃを縦置きした状態を示す側面図である。
【図１２】第４の実施形態によるモバイル電子機器用ケース２００Ｄを模式的に示す外観図である。
【図１３】第４の実施形態による保護カバー２０２を任意の角度で固定できる様子を示す模式図である。
【発明を実施するための形態】
【００２２】
本発明の実施形態によるモバイル電子機器用ケースは、表示面を有するモバイル電子機器を収納し、モバイル電子機器に電力を供給することが可能なモバイル電子機器用ケースである。そのケースは、モバイル電子機器の少なくとも一部と接触する第１の面および第１の面と反対側の第２の面を有するホルダー部と、表示面を覆う保護カバーと、保護カバーに設けられ、電力を生成する太陽電池モジュールであって、保護カバーが表示面を覆うとき、外部に露出される太陽電池モジュールと、太陽電池モジュールを外部に露出した状態を保持しつつ、第２の面側まで保護カバーを移動させることが可能な移動機構と、を備える。ここで、第２の面側までの移動とは、第２の面と太陽電池モジュールの受光面とがなす角度が略０°から１２０°になる位置まで保護カバーを移動させることを意味する。
【００２３】
このモバイル電子機器用ケースによれば、モバイル電子機器を使用していないときは、表示面を保護した状態で机などにそのケースを置いておくだけで発電が可能になり、また、モバイル電子機器を操作しながらでも、太陽電池モジュールを外部に露出した状態で効率な発電が可能になる。また、モバイル電子機器はその全体を覆うように収納されるので、落下などの衝撃や衝突からより確実に保護することができる。
【００２４】
以下、添付の図面を参照しながら、本発明の実施形態によるモバイル電子機器用ケースを説明する。以下の説明において、同一または類似する構成要素については同一の参照符号を付している。なお、本発明の実施形態によるモバイル電子機器用ケースは、以下で例示するものに限られない。例えば、一の実施形態と、他の実施形態とを組み合わせることも可能である。
【００２５】
（第１の実施形態）
図２から図５を参照しながら、本実施形態によるモバイル電子機器用ケース２００Ａの構成および機能を説明する。
【００２６】
図２は、モバイル電子機器用ケース２００Ａの外観を模式的に示している。図２（ａ）は、保護カバー２０２が開いている状態のモバイル電子機器用ケースケース２００Ａを正面から見たケースの外観を示している。図２（ｂ）および（ｃ）は、保護カバー２０２が開いている状態のモバイル電子機器用ケース２００Ａを背面から見たケースの外観を示している。図２（ｄ）は、保護カバー２０２が背面に位置しているモバイル電子機器用ケース２００Ａを背面から見たケースの外観を示している。
【００２７】
モバイル電子機器用ケース２００Ａは、太陽電池モジュール２０１と、保護カバー２０２と、ホルダー部２０７と、接続部２０８とを備えている。図示されるように、モバイル電子機器用ケース２００Ａは、ブックカバー型のケースであり、接続部２０８は、ブックカバーの背の部分に対応している。
【００２８】
モバイル電子機器用ケース２００Ａは、表示面２０３を有するモバイル電子機器２０４を収納し、モバイル電子機器２０４は、モバイル電子機器用ケース２００Ａにコネクタ（不図示）を介して電気的に直接接続され且つ一体化される。その状態において、太陽電池モジュール２０１で発電された電力をモバイル電子機器２０４に供給することができる。具体的には、太陽電池モジュール２０１の出力がモバイル電子機器２０４の蓄電素子の入力に接続されるように構成されている。ここで、蓄電素子は、いわゆる蓄電池（２次電池）だけでなく、大容量キャパシターを含む。モバイル電子機器用ケース２００Ａがモバイル電子機器２０４と一体的に用いられるとき、モバイル電子機器２０４は、蓄電素子を有していなくてもよい。
【００２９】
太陽電池モジュール２０１は電力を生成する。太陽電池モジュール２０１は、保護カバー２０２に配置されており、保護カバー２０２が表示面２０３を覆うときは外部に露出される。例えば、保護カバー２０２が表示面２０３を覆った状態でモバイル電子機器用ケース２００Ａを窓辺に置いておくと、太陽電池モジュール２０１は外部に露出されているので、外光を受けて発電することができる。
【００３０】
太陽電池モジュール２０１として、種々の太陽電池を用いることができる。例えば、結晶シリコン太陽電池モジュールおよびアモルファスシリコン太陽電池モジュールなどのシリコン系の太陽電池モジュール、ＧａＡｓ太陽電池モジュールなどの化合物系の太陽電池モジュール、蛍光集光板を用いた太陽電池モジュール、および色素増感太陽電池モジュールなどの有機系の太陽電池モジュールを広く用いることができる。
【００３１】
ここで、太陽電池モジュールの太陽電池の出力電圧（開放電圧）の照度依存性を簡単に説明する。太陽電池モジュールの開放電圧は、照度が低下するにつれて低下する。照度が低下した場合、結晶シリコン太陽電池モジュールと比べ、色素増感太陽電池モジュールの開放電圧はより高い。また、色素増感太陽電池モジュールおよび蛍光集光板を用いた太陽電池モジュールの、照度に対する電圧変動は、結晶シリコン太陽電池モジュールおよびアモルファスシリコン太陽電池モジュールのそれに比べて小さい。このような太陽電池モジュールの特性は、本出願人による未公開の特許出願である特願２０１５−４２４１９号に記載されている。これらの開示内容の全てを参考のために本願明細書に援用する。
【００３２】
そのような太陽電池モジュールの特性を考慮すると、太陽電池モジュール２０１として、色素増感太陽電池モジュールまたは蛍光集光板を用いた太陽電池モジュールを用いることが好ましいと言える。これにより低照度から高照度の広範囲において効率的な発電が可能になる。
【００３３】
保護カバー２０２は、表示面２０３を覆って保護する。また、保護カバー２０２は、後述する接続部２０８によって揺動可能に支持されている。これにより、保護カバー２０２を閉じたり開いたりすることができる。
【００３４】
図示されていないが、保護カバー２０２には、太陽電池モジュール２０１からの電力をモバイル電子機器２０４（つまり、負荷）に供給する給電ユニットが設けられている。給電ユニットは、太陽電池モジュール２０１の最適動作点を追従する制御回路を有していてもよい。その制御回路は一般にＭＰＰＴ（Ｍａｘｉｍｕｍ  Ｐｏｗｅｒ  Ｐｏｉｎｔ  Ｔｒａｃｋｉｎｇ）回路と称されている。最適動作点は、太陽電池モジュール２０１の出力電力（電流と電圧の積）が最大になる動作点を指す。ＭＰＰＴ回路を用いることで、照度や温度が変化しても、その状況下での最大動作点において太陽電池モジュール２０１を発電させることができ、そのときの最大電力を得ることができる。
【００３５】
ホルダー部２０７は、互いに連結された支持部材２０５Ａおよび２０５Ｂと、略中央付近に位置する谷折り線２０６Ａとを含んでいる。本実施形態では、支持部材２０５Ａはモバイル電子機器２０４の少なくとも一部に接触する接触面（第１の面）２０９Ａを有している。モバイル電子機器２０４はホルダー部２０７の接触面に支持されている。支持部材２０５Ａは、支持部材２０５Ｂを介して接続部２０８に接続されている。本明細書では、外部から見るとき、または裏面２０９Ｂの法線方向から見るとき、折り線が内側（モバイル電子機器側）を向く場合、それを「谷折り線」と称し、その折り線が外側を向く場合、それを「山折り線」と称する。ここで、「外部から見るとき」とは、モバイル電子機器２０４の筐体を覆うモバイル電子機器用ケース２００Ａの面と反対側の面側から見るときを意味する。
【００３６】
接続部２０８は、保護カバー２０２とホルダー部２０７とを電気的に接続し、それぞれを揺動可能に支持している。この電気的な接続により、太陽電池モジュール２０１からの電力をモバイル電子機器２０４に供給することができる。また、保護カバー２０２は、接触面とは反対側の裏面（第２の面）２０９Ｂ側に回り込むことができる。
【００３７】
図２（ｃ）および（ｄ）に示されるように、谷折り線２０６Ａが内側を向くように、支持部材２０５Ｂを支持部材２０５Ａに折り重ねることができる。ホルダー部２０７の接触面２０９Ａ側から裏面２０９Ｂ側まで回り込むように移動した保護カバー２０２は、図２（ｄ）に示される位置に配置される。その結果、太陽電池モジュール２０１は外部に露出され発電することができる。
【００３８】
上述したような一連の仕組みは、太陽電池モジュール２０１を外部に露出した状態を保持しつつ、裏面２０９Ｂ側に保護カバー２０２を移動させることが可能な機構と捉えることができ、本明細書ではそれを「移動機構」と称する。
【００３９】
本実施形態によるホルダー部２０７は上述した構成に限定されない。ホルダー部２０７は、互いに連結された少なくとも２つの支持部材と、少なくとも２つの支持部材の各支持部材の間にある少なくとも１つの折り線とを含んでいてもよい。その少なくとも２つの支持部材のうち１つの支持部材は、接触面２０９Ａを有し、かつ、各々が揺動可能に接続された残りの支持部材を介して接続部２０８に接続されていてもよい。
【００４０】
このような移動機構によって、少なくとも２つの支持部材が互いに蛇腹状に折り重なった状態で、裏面２０９Ｂ側まで回り込むように移動した保護カバー２０２は、図２（ｄ）に示される位置に配置される。その結果、太陽電池モジュール２０１は外部に露出され、モバイル電子機器２０４を操作しながらでも発電することができる。
【００４１】
図３は、ホルダー部２０７を４つの支持部材２０５Ｃに分割したときの移動機構の様子を模式的に示している。ホルダー部２０７は、大きさが略等しい４つの支持部材２０５Ｃと、各支持部材の境界にある山折り線または谷折り線とを有している。図示されるように、４つの支持部材２０５Ｃが蛇腹状に折り重なることにより、太陽電池モジュール２０１は外部に露出される。
【００４２】
本実施形態によると、モバイル電子機器２０４を使用していないときは、表示面２０３を保護した状態で机などにモバイル電子機器用ケース２００Ａを置いておくだけで太陽電池モジュール２０１の受光面に外光を十分に照射できる。そのため、効率的な発電が可能になる。また、モバイル電子機器２０４を操作しながらでも、太陽電池モジュール２０１を外部に露出させた状態で受光面は散乱光や反射光に照射され得るので、照度は低下するものの発電は可能になる。この観点から、上述したように、太陽電池モジュール２０１として色素増感太陽電池モジュールまたは蛍光集光板を用いた太陽電池モジュールを用いることが好ましいと言える。また、モバイル電子機器２０４はその全体を覆うように収納されるので、落下などの衝撃や衝突からより確実に保護することができる。
【００４３】
以下、本実施形態の変形例を、図４および図５を参照して説明する。
【００４４】
図４は、本実施形態のモバイル電子機器用ケース２００Ａ’の変形例の外観を模式的に示している。既に説明したモバイル電子機器用ケース２００Ａを「横開きケース」と称すると、その変形例によるモバイル電子機器用ケースＡ’は「縦開きケース」と称することができる。
【００４５】
モバイル電子機器用ケース２００Ａの保護カバー２０２は表示面２０３の一対の辺と略平行な方向に開閉する（横開き）。一方で、モバイル電子機器用ケース２００Ａ’の保護カバー２０２は表示面２０３の他の一対の辺と略平行な方向に開閉する（縦開き）。
【００４６】
図５は、縦置きされたモバイル電子機器用ケース２００Ａ’の外観を模式的に示している。モバイル電子機器用ケース２００Ａ’を側面から見たとき、その側面の形状が略三角形になるように、移動機構を利用して保護カバー２０２の一端とホルダー部２０７との一端を突き合わせることで、モバイル電子機器用ケース２００Ａ’を縦置きすることができる。そのとき、保護カバー２０２およびホルダー部２０７のそれぞれの一端に吸着用の磁石を設けてもよい。この磁石によって、それらの一端を固定することができ、より安定してモバイル電子機器用ケース２００Ａ’を縦置きすることができる。この状態で、ユーザは動画などを視聴することができる。
【００４７】
（第２の実施形態）
図６および図７を参照しながら、第２の実施形態によるモバイル電子機器用ケース２００Ｂの構造および機能を説明する。
【００４８】
本実施形態によるモバイル電子機器用ケース２００Ｂは、接続部２０８に谷折り線２０６Ｂが設けられている点で、第１の実施形態によるモバイル電子機器用ケース２００Ａとは異なる。以下、共通する部分の説明は省略し、差異点を中心に説明する。
【００４９】
図６は、モバイル電子機器用ケース２００Ｂの外観を模式的に示している。図６（ａ）は、保護カバー２０２が開いているモバイル電子機器用ケースケース２００Ｂを正面から見た外観図である。図６（ｂ）および（ｃ）は、保護カバー２０２が開いているモバイル電子機器用ケース２００Ｂを背面から見た外観図である。図６（ｄ）は、保護カバー２０２が裏面２０９Ｂ側に位置しているモバイル電子機器用ケース２００Ｂを背面から見た外観図である。
【００５０】
図示されるように、接続部２０８は中央付近に谷折れ線２０６Ｂを有し、ホルダー部２０７と同様に折り畳み構造を有している。以下、図６を参照して、接続部２０８の構造を詳細に接続する。
【００５１】
図７は、保護カバー２０２の開閉の様子を模式的に示す。接続部２０８がその側面に対向している状態で折れ曲がると、外部から見た谷折り線２０６Ｂは内側（筐体側）を向く。谷折り線２０６Ａおよび２０６Ｂが内側を向いた状態で、支持部材２０５Ｂは支持部材２０５Ａに折り重なる。接触面２０９Ａ側から裏面２０９Ｂ側まで回り込むように移動した保護カバー２０２は、太陽電池モジュール２０１を露出して配置される。その折り重なった状態の接続部２０８は、外部にはみ出さずにモバイル電子機器２０４の筐体の範囲（図中の破線）内に収まっている。
【００５２】
図８は、特許文献３に開示された携帯端末用ケースを折り畳んだ状態の様子を模式的に示している。図示されるように、特許文献３の携帯端末用ケースの背に対応する部分には、谷折り線がないので、カバーを携帯端末の背面に移動させたとき、背の部分はその厚さ分だけ、外部にはみ出してしまう。また、カバーは、その厚さだけ自由度を有し、固定されていないので、どうしてもずれが生じてしまう。
【００５３】
本実施形態によると、接続部２０８の折り畳み構造によって、折り重なった状態の接続部２０８は、外部にはみ出さずにモバイル電子機器２０４の筐体の範囲内に収まる。また、モバイル電子機器２０４に対する保護カバー２０２の相対位置が固定されるので、ずれが生じにくい。このように、ケース全体が一体として纏まるので、ユーザはそのケースを保持しながらモバイル電子機器２０４を扱い易くなる。
【００５４】
（第３の実施形態）
図９から図１１を参照しながら、第３の実施形態によるモバイル電子機器用ケース２００Ｃの構造および機能を説明する。
【００５５】
本実施形態によるモバイル電子機器用ケース２００Ｃは、スライド型のケースである点で、第１の実施形態によるモバイル電子機器用ケース２００Ａとは異なる。以下、共通する部分の説明は省略し、差異点を中心に説明する。
【００５６】
図９は、モバイル電子機器用ケース２００Ｃの外観を模式的に示している。図９（ａ）は、保護カバー２０２が保護位置にある状態のモバイル電子機器用ケース２００Ｃを正面から見たケースの外観を示す。図９（ｂ）は、保護カバー２０２が保護位置からスライドした状態のモバイル電子機器用ケース２００Ｃを正面から見たケースの外観を示す。図９（ｃ）は、保護カバー２０２が引き出し位置にある状態のモバイル電子機器用ケース２００Ｃを背面から見たケースの外観を示す。図９（ｄ）は、保護カバー２０２が回転軸２１０の周りを回転した状態を背面から見たケースの外観を示す。図９（ｅ）は、保護カバー２０２が裏面に位置しているモバイル電子機器用ケース２００Ｃを背面から見たケースの外観を示す。
【００５７】
保護カバー２０２は、伸縮機構２２０によって、表示面２０３を覆う保護位置（図９（ａ））と、ホルダー部２０７から引き出された引き出し位置（図９（ｃ））との間を表示面２０３の一辺に略平行な方向にスライドすることができる。また、保護カバー２０２は、引き出し位置にあるとき、回転機構によってホルダー部２０７の一端にある回転軸２１０の周りを回転することができる（図９（ｄ））。
【００５８】
図１０Ａは、伸縮機構２２０の構造を模式的に示している。伸縮ユニット２２０は、伸縮自在に構成されており、保護カバー２０２を支持している。引き出す方向（図中の矢印Ａの方向）に力を加えると、伸縮ユニット２２０は引き出し位置に対応する位置（図中の右側）まで伸び、逆の方向に力を加えると、伸縮ユニット２２０は保護位置に対応する位置（図中の左側）まで縮む。
【００５９】
図１０Ｂは、モバイル電子機器用ケース２００Ｃの側面を模式的に示している。図１０Ｃ（ａ）は、回転軸２１０近辺の側面を拡大して示し、図１０Ｃ（ｂ）は、保護カバー２０２の一端を拡大して示している。伸縮ユニット２２０の一端は、太陽電池モジュール２０１が設けられた保護カバー２０２の一端に接続されている。ホルダー部２０７は、自身の一対の辺に平行に設けられた一対の横枠部材２１１を有しており、伸縮機構２２０は、その一対の横枠部材２１１のそれぞれに固定されている。または、伸縮機構２２０は、その一対の横枠部材２１１の少なくとも１つに固定されていても構わない。このような機構により、保護カバー２０２は、保護位置と引き出し位置との間をスライドできる。
【００６０】
再び図９を参照する。図９（ｄ）に示されるように、保護カバー２０２は、引き出し位置にあるとき、その位置からホルダー部２０７の裏面２０９Ｂ側まで回り込むように回転軸２１０の周りに略１８０°回転することができる。このように保護カバー２０２を回転させることができる機構を「回転機構」と称することにする。ホルダー部２０７の裏面２０９Ｂ側に回り込むように移動した保護カバー２０２は、図９（ｅ）に示される位置に配置される。その結果、太陽電池モジュール２０１は外部に露出され、モバイル電子機器２０４を操作しながらでも発電することができる。
【００６１】
図１１は、回転軸２１０の周りに保護カバー２０２をある角度だけ回転させて、モバイル電子機器用ケース２００Ｃを縦置きした状態を模式的に示す。このように、縦置きする際、回転させた保護カバー２０２を支柱として活用することができる。ユーザはこの状態で動画などを視聴することができる。
【００６２】
本実施形態によると、モバイル電子機器２０４を使用していないときは、表示面２０３を保護した状態でモバイル電子機器用ケース２００Ｃを机などに置いておくだけで太陽電池モジュール２０１の受光面に外光を十分に照射できる。そのため、効率的な発電が可能になる。また、モバイル電子機器２０４を操作しながらでも、太陽電池モジュール２０１を外部に露出させた状態で受光面は散乱光や反射光に照射され得るので、照度は低下するものの発電は可能になる。
【００６３】
（第４の実施形態）
図１２および図１３を参照しながら、第４の実施形態によるモバイル電子機器用ケース２００Ｄの構造および機能を説明する。
【００６４】
本実施形態によるモバイル電子機器用ケース２００Ｄは、保護カバー２０２の一端とホルダー部２０７の一端とを接続するヒンジ２３０を備えている点で、第１の実施形態によるモバイル電子機器用ケース２００Ａとは異なる。以下、共通する部分の説明は省略し、差異点を中心に説明する。
【００６５】
図１２は、モバイル電子機器用ケース２００Ｄの外観を模式的に示している。図１２（ａ）は、保護カバー２０２が表示面２０３を覆っている状態のモバイル電子機器用ケースケース２００Ｄを正面から見たケースの外観を示している。図１２（ｂ）は、保護カバー２０２が若干開いた状態のモバイル電子機器用ケースケース２００Ｄを正面から見たケースの外観を示している。図１２（ｃ）は、保護カバー２０２が完全に開いた状態のモバイル電子機器用ケース２００Ｄを正面から見たケースの外観を示している。図１２（ｄ）は、保護カバー２０２が完全に開いてから回転軸を中心に略１８０°回転した状態のモバイル電子機器用ケース２００Ｄを正面から見たケースの外観を示している。図１２（ｅ）は、保護カバー２０２が裏面側に位置している状態のモバイル電子機器用ケース２００Ｄを正面および背面から見たケースの外観を示している。
【００６６】
保護カバー２０２の一端とホルダー部２０７の一端とを接続する回転端子２３０がそれらの間に設けられている。回転端子２３０は例えばヒンジである。そのヒンジ２３０によって、保護カバー２０２は、表示面２０３を覆う保護状態（図１２（ａ））と、ホルダー部２０７と略一直線上に並んで表示面２０３を覆わない開放状態（図１２（ｃ））との間を遷移することができる。
【００６７】
ヒンジ２３０は、図中の矢印Ｂの方向と略平行な軸の周りに、開放状態にある保護カバー２０２をホルダー部２０７に対して略１８０°回転させることができるように構成されており、かつ、保護カバー２０２を回転自在に支持している。その結果、図１２（ｄ）に示されるように、保護カバー２０２はその回転軸を中心に略１８０°回転することができる。
【００６８】
ヒンジ２３０は、さらに保護カバー２０２が、太陽電池モジュール２０１を外部に露出した状態を保持しつつ、ホルダー部２０７の裏面側まで回り込むように回転することができるように構成されている。その結果、太陽電池モジュール２０１は外部に露出され、モバイル電子機器２０４を操作しながらでも発電することができる（図１２（ｅ））。
【００６９】
その回転軸の嵌め合いは締り嵌めであってもよい。図１３は、保護カバー２０２を任意の角度で固定できる様子を模式的に示している。その嵌め合いによって軸の回転摺動部分に適当な摩擦抵抗が働き、任意の角度で保護カバー２０２を固定することができる。
【００７０】
本実施形態によると、モバイル電子機器２０４を使用していないときは、表示面２０３を保護した状態でモバイル電子機器用ケース２００Ｄを机などに置いておくだけで太陽電池モジュール２０１の受光面に外光を十分に照射できる。そのため、効率的な発電が可能になる。また、モバイル電子機器２０４を操作しながらでも、太陽電池モジュール２０１を外部に露出させた状態で受光面は散乱光や反射光に照射され得るので、照度は低下するものの発電は可能になる。さらに、裏面側に回転させた保護カバー２０２を支柱として活用し、モバイル電子機器用ケース２００Ｄを縦置きすることができる。
【００７１】
回転軸の嵌め合いを締り嵌めにすることで、保護カバー２０２の角度を任意に調整できる。そのため、外光がもっとも照射される角度に太陽電池モジュールの受光面の角度を調整でき、その結果、発電を効率的に行うことができる。
【００７２】
保護カバー２０２がホルダー部２０７に密接すると、モバイル電子機器２０４を保持してそれを操作する手により太陽電池モジュール２０１の受光面への光は遮られてしまう。その結果、受光面に影ができ、発電量は低下し得る。本実施形態によると、保護カバー２０２とホルダー部２０７との間に空間を形成できるので、受光面への光は遮られずに発電を効率的に行うことができる。
【００７３】
本明細書は、以下の項目に記載のモバイル電子機器用ケースを開示している。
〔項目１〕
表示面を有するモバイル電子機器を収納し、前記モバイル電子機器に電力を供給することが可能なモバイル電子機器用ケースであって、
前記モバイル電子機器の少なくとも一部と接触する第１の面および前記第１の面と反対側の第２の面を有するホルダー部と、
前記表示面を覆う保護カバーと、
前記保護カバーに設けられ、前記電力を生成する太陽電池モジュールであって、前記保護カバーが前記表示面を覆うとき、外部に露出される太陽電池モジュールと、
前記太陽電池モジュールを外部に露出した状態を保持しつつ、前記第２の面側まで前記保護カバーを移動させることが可能な移動機構と、
を備える、モバイル電子機器用ケース。
項目１に記載のモバイル電子機器用ケースによると、モバイル電子機器の使用状態に依存することなく、モバイル電子機器を操作しながらでも効率的な発電が可能になる。
〔項目２〕
前記ホルダー部と前記保護カバーとを電気的に接続する接続部であって、前記ホルダー部および前記保護カバーをそれぞれ揺動可能に支持する接続部をさらに備え、
前記ホルダー部は、互いに連結された少なくとも２つの支持部材と、前記少なくとも２つの支持部材の各支持部材の間にある少なくとも１つの折り線と、を含み、前記少なくとも２つの支持部材のうち１つの支持部材は、前記第１の面を有し、かつ、各々が揺動可能に接続された残りの支持部材を介して前記接続部に接続され、
前記第２の面側まで移動した前記保護カバーの前記太陽電池モジュールは、前記少なくとも２つの支持部材が互いに蛇腹状に折り重なった状態で外部に露出される、項目１に記載のモバイル電子機器用ケース。
項目２に記載のモバイル電子機器用ケースによると、モバイル電子機器の使用状態に依存することなく、モバイル電子機器を操作しながらでも効率的な発電が可能になるブックカバー型のケースを提供できる。
〔項目３〕
前記少なくとも２つの支持部材は、前記第１の面を有する第１の支持部材と第２の支持部材とを含み、
前記少なくとも１つの折り線は、外部から見たとき、前記第１および第２の支持部材の間の第１の谷折り線であって、
外部から見たとき、前記第１の谷折り線が内側を向くように、前記第２の面側まで移動した前記保護カバーの前記太陽電池モジュールは、前記第２の支持部材が前記第１の支持部材に折り重なった状態で外部に露出される、項目２に記載のモバイル電子機器用ケース。
〔項目４〕
前記接続部は、外部から見たときに第２の谷折れ線を含んでいる、項目２または３に記載のモバイル電子機器用ケース。
項目４に記載のモバイル電子機器用ケースによると、折り畳まった状態において、接続部のはみ出しを低減することができる。
〔項目５〕
前記移動機構は、
前記ホルダー部に固定され、前記保護カバーを支持する伸縮機構であって、前記保護カバーは、前記表示面を覆う保護位置と、前記ホルダー部から引き出された引き出し位置との間を前記表示面の一辺に略平行な方向にスライドする、伸縮機構と、
前記太陽電池モジュールを外部に露出した状態で、前記ホルダー部の一端にある回転軸の周りに、前記引き出し位置にある前記保護カバーを前記第２の面側まで回転させることが可能な回転機構と、
を備える、項目１に記載のモバイル電子機器用ケース。
項目５に記載のモバイル電子機器用ケースによると、モバイル電子機器の使用状態に依存することなく、モバイル電子機器を操作しながらでも効率的な発電が可能になるスライド型のケースを提供できる。
〔項目６〕
前記移動機構は、前記保護カバーの一端と前記ホルダー部の一端とを接続する回転端子であって、前記保護カバーを前記第２の面側まで回転させることが可能な回転端子を含み、
前記保護カバーは、前記表示面を覆う保護状態と、前記ホルダー部と略一直線上に並んで表示面を覆わない開放状態との間を遷移することができ、
前記回転端子は、前記略一直線の方向に略平行な軸の周りに、前記開放状態にある前記保護カバーを前記ホルダー部に対して略１８０°回転させることができるように、前記保護カバーを回転自在に支持する、項目１に記載のモバイル電子機器用ケース。
項目６に記載のモバイル電子機器用ケースによると、モバイル電子機器の使用状態に依存することなく、モバイル電子機器を操作しながらでも効率的な発電が可能になる折り畳み型のケースを提供できる。
〔項目７〕
前記保護カバーを前記第２の面側まで回転させる回転軸の嵌め合いは締り嵌めである、項目６に記載のモバイル電子機器用ケース。
項目７に記載のモバイル電子機器用ケースによると、太陽電池モジュールの角度を任意に調整することがき、効率的な発電が可能になる。
〔項目８〕
前記太陽電池モジュールの最適動作点を追従する制御回路を有し、前記太陽電池モジュールからの電力を負荷に供給する給電ユニットをさらに備える、項目１から７のいずれかに記載のモバイル電子機器用ケース。
項目８に記載のモバイル電子機器用ケースによると、効率的な発電が可能になる。
〔項目９〕
前記太陽電池モジュールからの電力を蓄積し、前記給電ユニットに接続された蓄電池をさらに備える、項目８に記載のモバイル電子機器用ケース。
項目９に記載のモバイル電子機器用ケースによると、太陽電池モジュールからの電力を効率的に蓄電する蓄電池を備える充電器付きケースを提供できる。
〔項目１０〕
前記太陽電池モジュールは、色素増感太陽電池モジュールまたは蛍光集光板を用いた太陽電池モジュールである、項目１から９のいずれかに記載のモバイル電子機器用ケース。
項目１０に記載のモバイル電子機器用ケースによると、低照度から高照度の照度範囲に対応した発電が可能になる。
【産業上の利用可能性】
【００７４】
本発明は、太陽電池モジュールを備えたモバイル電子機器用ケースに用いることができる。
【符号の説明】
【００７５】
２００Ａ、２００Ｂ、２００Ｃ、２００Ｄ  モバイル電子機器用ケース
２０１  太陽電池モジュール
２０２  保護カバー
２０３  表示面
２０４  モバイル電子機器
２０５Ａ、２０５Ｂ、２０５Ｃ  支持部材
２０６Ａ、２０６Ｂ  谷折り線
２０７  ホルダー部
２０８  接続部
２０９Ａ  接触面
２０９Ｂ  裏面
２１０  回転軸
２１１  横枠部材
２２０  伸縮機構
【図１】
2016181883.tif 000003
【図２】
2016181883.tif 000004
【図３】
2016181883.tif 000005
【図４】
2016181883.tif 000006
【図５】
2016181883.tif 000007
【図６】
2016181883.tif 000008
【図７】
2016181883.tif 000009
【図８】
2016181883.tif 000010
【図９】
2016181883.tif 000011
【図１０Ａ】
2016181883.tif 000012
【図１０Ｂ】
2016181883.tif 000013
【図１０Ｃ】
2016181883.tif 000014
【図１１】
2016181883.tif 000015
【図１２】
2016181883.tif 000016
【図１３】
2016181883.tif 000017